(57)【要約】【課題】部材点数を増加させることなく、簡易に取り付け可能な見切り材構造、及び、この見切り材構造を備えた床構造を得る。【解決手段】サッシュ枠１６の下側には、雌部材３２が配置されている。雌部材３２は、固定部３２Ａ及び受部３２Ｂが一体成形されて構成されている。固定部３２Ａは、上面がサッシュ枠１６の下面に当接され、サッシュ枠１６側からねじ１７で固定されている。固定部３２Ａと床基盤２２との間は離間されており、床基盤２２の凹凸に固定部３２Ａが影響を受けない構成とされている。【選択図】図１
2007154534.tif 000002
【特許請求の範囲】
【請求項１】
床基盤上に支持脚を介して設置された床材と、
前記床材の一端辺に沿って前記床基盤と非接触で配置された部屋仕切部材と、
前記床材と前記部屋仕切り部材との間に配置され、前記床材と前記部屋仕切部材との間の隙間に挿入可能な挿入凸部、及び、前記隙間の上部を覆う頭部、を有する雄部材と、
前記部屋仕切部材に固定された固定部、及び、前記雄部材の挿入凸部を嵌入可能な受部、を有する雌部材と、
を備えた、床構造。
【請求項２】
前記固定部が、前記部屋仕切部材の下側に固定されていること、を特徴とする請求項１に記載の床構造。
【請求項３】
前記固定部が、前記部屋仕切部材とねじ止めされていること、を特徴とする請求項１または請求項２に記載の床構造。
【発明の詳細な説明】
【技術分野】
【０００１】
本発明は、床構造に関し、特に、床材と部屋仕切部材との間に配設されて遮音機能を発揮する見切り材を備えた床構造に関する。
【背景技術】
【０００２】
従来から、集合住宅や体育館などの建物では、床基盤上に高さ調節可能な支持脚で床材を所定の高さに支持する床構造が使用されている。この床構造では、図３に示すように、床基盤３０１上に高さ調節可能な支持脚３０３を介して床下地パネル３０２が載置され、床下地パネル３０２の上に捨張材３０４が配置され、捨張材３０４の上に仕上材３０６が並べられて床材３００が構成される。部屋仕切部材３０８と床下地パネル３０２の間には、根太３０７が配置され、捨張材３０４の端辺が根太３０７上に載置される。この根太３０７により、床端部の沈み込み量が抑えられ、仕上材３０６と部屋仕切部材３０８との間で発生するこすれ音が抑制され、さらに、床材３００の伸縮により部屋仕切部材３０８との間に隙間が生じたり、突き上げが生じたりすることが防止されていた。しかしながら、この構造では、根太３０７自体の遮音性能が低く、遮音性能の一層の向上が望まれていた。
【０００３】
遮音性能の向上のため、特許文献１に記載の技術では、図４に示すように、仕上材３０６と部屋仕切部材３０８との間に、見切り材３１０が設けられている。見切り材３１０により、部屋仕切部材３０８と床材３００のこすれ音が防止され、部屋仕切部材３０８と床材３００の間の隙間が埋められる。この床構造であれば、根太を必要とせず、遮音性を向上させることができる。
【０００４】
ところで、見切り材３１０を取り付けるために、特許文献１では、見切り材３１０に挿入部３１０Ａを設け、この挿入部３１０Ａを補助台３１２に取り付けられた受部３１４に挿入している。しかしながら、見切り材３１０の取り付けのために補助台３１２を設置する必要が生じ、部材点数が増加してしまう。また、補助台３１２は凹凸のある床基盤３０１上に載置されるため、部屋仕切部材３０８の上面の位置決めをするのが難しくなる。
【特許文献１】特開２００２−３４９０５２号公報
【発明の開示】
【発明が解決しようとする課題】
【０００５】
本発明は上記事実を考慮し、部材点数を増加させることなく、簡易に組み上げることの可能な床構造を得ることを課題とする。
【課題を解決するための手段】
【０００６】
上記課題を解決するために、請求項１に記載の床構造は、床基盤上に支持脚を介して設置された床材と、前記床材の一端辺に沿って前記床基盤と非接触で配置された部屋仕切部材と、前記床材と前記部屋仕切り部材との間に配置され、前記床材と前記部屋仕切部材との間の隙間に挿入可能な挿入凸部、及び、前記隙間の上部を覆う頭部、を有する雄部材と、前記部屋仕切部材に固定された固定部、及び、前記雄部材の挿入凸部を嵌入可能な受部、を有する雌部材と、を備えている。
【０００７】
なお、固定部と受部とは、一体成形されているものであっても、別体で固定部に受部が固定されているものであってもよい。上記構成の床構造では、雌部材は部屋仕切部材に固定されているので、補助台なしで雄部材を取り付けることができる。また、雌部材は直接部屋仕切部材に固定されているので、上面の位置決めを容易に行うことができる。
【０００８】
なお、雌部材は、部屋仕切部材の形状等に応じて、下部や側部などに固定することができる。
【０００９】
請求項２に記載の床構造は、前記固定部が、前記部屋仕切部材の下側に固定されていること、を特徴としている。
【００１０】
このように、部屋仕切部材の下側に固定部を固定することにより、雌部材を容易に部屋仕切部材に固定することができる。
【００１１】
請求項３に記載の床構造は、前記固定部が、前記部屋仕切部材とねじ止めされていること、を特徴としている。
【００１２】
このように、ねじ止めにより容易に雌部材を部屋仕切部材に固定することができる。
【発明の効果】
【００１３】
本発明は、上記構成としたので、床材の建物垂直部材への接触によるこすれ音を軽減することができる。
【発明を実施するための最良の形態】
【００１４】
本実施形態の床構造１０は、図１に示されるように、床材１４、サッシュ枠１６、雄部材３０、及び、雌部材３２を備えている。床基盤２２は、コンクリートで構成されており、床基盤２２上に支持脚２４が立設されている。支持脚２４上には、床下地パネル１２が載置され、床下地パネル１２の上には捨張り１７が載置されている。捨張り１７上に床板１８が敷き並べられ、全体として床材１４が構成されている。本実施形態の床材１４（床板１８）は、いわゆる乾式遮音二重床とされており、遮音性能が高められている。なお、このように遮音性能が高められた床材としては、乾式遮音二重床に限定されないが、少なくとも遮音材を含む多重構造とされていることが好ましい。
【００１５】
サッシュ枠１６はＬ字状とされ、Ｌ字の外側一面が垂直部材２６に固定され、他の外側一面が床材１４の上面と同一方向に向けられている。サッシュ枠１６は、床材１４の端辺に沿って配置されている。
【００１６】
サッシュ枠１６の下側には、雌部材３２が配置されている。雌部材３２は、固定部３２Ａ及び受部３２Ｂが一体成形されて構成されている。固定部３２Ａは、上面がサッシュ枠１６の下面に当接され、サッシュ枠１６側からねじ１７で固定されている。
【００１７】
受部３２Ｂは、固定部３２Ａの床材１４側の側面から突出され上方へ屈曲した形状とされており、後述する雄部材３０の挿入部３０Ｂを固定部３２Ａとの間に挿入可能とされている。受部３２Ｂの上部の固定部３２Ａ側には、係合歯３２Ｄが構成されている。また、受部３２Ｂの床材１４側には、緩衝材３２Ｃが接着されている。緩衝材３２Ｃは、発泡樹脂などで構成することができ、変形により床材１４の伸縮を吸収すると共に、床材１４と受部３２Ｂとのこすれ音を防止する。
【００１８】
なお、雌部材３２の材料としては、型鋼、樹脂などを用いることができる。樹脂としては、ＰＰ、ＰＥ、ＡＢＳ、発泡樹脂、ソリッド樹脂、などが好適に用いられる。
【００１９】
雄部材３０は、床材１４とサッシュ枠１６との間に配置されている。雄部材３０は、頭部３０Ａ及び挿入部３０Ｂとで構成されている。頭部３０Ａは、床材１４とサッシュ枠１６との間の隙間を覆う長尺板状とされており、サッシュ枠１６側の端辺がサッシュ枠１６の端面に突き当てられ、床材１４側の端辺は床材１４の上部に載置されている。頭部３０Ａの床材１４側の端辺は、段差を軽減するために先端部へ向かうほど薄く構成されている。挿入部３０Ｂは、頭部３０Ａの下方へ突出され、雌部材３２の受部３２Ｂと固定部３２Ａとの間に挿入可能とされている。挿入部３０Ｂの側面には、係合歯３０Ｄが構成されており、係合歯３２Ｄと係合される。また、挿入部３０Ｂの先端は、受部３２Ｂの下部に非当接とされている。
【００２０】
雄部材３０の頭部３０Ａの材料としては、軟質樹脂を用い、挿入部３０Ｂとしては、ＡＢＳなどの硬質樹脂を用いることが好ましい。
【００２１】
このような構成とされた床構造１０では、雄部材３０の挿入部３０Ｂを床材１４とサッシュ枠１６との間に差し込んで挿入部３０Ｂの係合歯３０Ｄを受部３２Ｂの係合歯３２Ｄと係合させることにより、容易に雄部材３０を取り付けることができる。
【００２２】
取り付けられた雄部材３０により、床材１４とサッシュ枠１６との間の隙間を覆うことができる。
【００２３】
また、雄部材３０を取り付けるための雌部材３２は、床基盤２２上に載置されず、サッシュ枠１６に取り付けられているので、補強材などの部材を床基盤２２上に設置することなく、また床基盤２２の凹凸の影響を受けることなく、容易に固定することができる。
【００２４】
また、床材１４がサッシュ枠１６側へ伸張した場合でも、緩衝材３２Ｃに当接されるので、床材１４の上下動によるこすれ音を軽減することができる。
【００２５】
また、床材１４が縮んでサッシュ枠１６との隙間が広がった場合でも、頭部３０Ａの床材１４側の端辺は、床材１４上に載置されているだけなので、頭部３０Ａと床材１４とが相対移することにより、隙間を吸収することができる。
【００２６】
また、頭部３０Ａのサッシュ枠１６側の端辺がサッシュ枠１６の端面に当接されているので、雌部材３２の位置決めを容易に行うことができる。
【００２７】
なお、上記実施形態では、雌部材３２の固定部３２Ａを中実とした例について説明したが、図２に示すように、内部を中空として、水平方向に仕切材３４Ｃを設けた雌部材３４を用いることもできる。この場合には、ねじ１７で固定部３４Ａの上部と仕切り材３４Ｃとを貫通させて、雌部材３４をサッシュ枠１６へ固定する。
【図面の簡単な説明】
【００２８】
【図１】本実施形態の床構造を示す図である。
【図２】本実施形態の床構造の変形例を示す図である。
【図３】従来の床構造を示す断面図である。
【図４】従来の床構造を示す断面図である。
【符号の説明】
【００２９】
１０   床構造
１４   床材
１６   サッシュ枠
２２   床基盤
２４   支持脚
３０   雄部材
３０Ａ 頭部
３０Ｂ 挿入部
３２   雌部材
３２Ａ 固定部
３２Ｂ 受部
３２Ｃ 緩衝材
３４   雌部材
３４Ａ 固定部
３４Ｃ 仕切材
【図１】
2007154534.tif 000003
【図２】
2007154534.tif 000004
【図３】
2007154534.tif 000005
【図４】
2007154534.tif 000006